【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
吸気カバー（１）と、ガイドカバー（３）と、放水用羽根車（４）と、モータ（６）と、空気吸入粉砕用羽根車（７）とが含まれ、
上記吸気カバー（１）の中央部には、下向きの吸気孔（ｉ）が穿設され、下半部には、大径の逆皿形凹部が形成され、
上記ガイドカバー（３）の中央部には、上記逆皿形凹部の直径と略同一の直径を有する、回転対称形空間が形成され、
上記放水用羽根車（４）には、羽根車軸部（４１）と、羽根車円板部（４２）と、ｎ個（ｎ≧２）のマグネット（４Ｍ1，…，４Ｍn）と、ｐ個（ｐ≧２）の放水羽根（４Ｆ1，…，４Ｆp）とが含まれ、
上記羽根車円板部（４２）は、上記羽根車軸部（４１）の基部の周囲に該基部と一体的に形成され、
上記モータの出力軸（６２）の周りには、上記放水用羽根車（４）が嵌合・固定され、先端部頂面には、上記空気吸入粉砕用羽根車（７）が固着され、
上記空気吸入粉砕用羽根車（７）の周りには、上記吸気カバー（１）の下半部の逆皿形凹部をも含めた気水攪拌用空間（１Ｓ）が形成され、
上記吸気カバー（１）と上記ガイドカバー（３）との間に処理対象水域の原水を前記気水攪拌用空間（１Ｓ）に吸入する通路が形成され、
上記ガイドカバー（３）の内周面と、上記羽根車軸部（４１）の外周面との間には、短円筒形の第１の間隙（ｇ1）が形成され、
上記羽根車円板部（４２）の上面と、上記ガイドカバー（３）の下面との間には、鍔（つば）形の第２の間隙（ｇ2）が形成されている、
空気吸入粉砕羽根付水質浄化処理装置。
【請求項２】
吸気カバー（１）と、吸水カバー（２）と、ガイドカバー（３）と、放水用羽根車（４）と、モータ（６）と、放水用羽根車押え金具付空気吸入粉砕用羽根車（７）とが含まれ、
上記吸気カバー（１）の中央部には、下向きの吸気孔（ｉ）が穿設され、下半部には、大径の逆皿形凹部が形成され、
上記吸水カバー（２）は、環状壁体から成り、該環状壁体には、ｍ個（ｍ≧２）の吸水孔ｓ1，…，ｓmが穿設され、
上記ガイドカバー（３）の中央部には、上記逆皿形凹部の直径と略同一の直径を有する、回転対称形空間が形成され、
上記吸気カバー（１）と、上記吸水カバー（２）と、上記ガイドカバー（３）とは、この順で一体的に連結され、
上記放水用羽根車（４）には、羽根車軸部（４１）と、羽根車円板部（４２）と、ｎ個（ｎ≧２）のマグネット（４Ｍ1，…，４Ｍn）と、ｐ個（ｐ≧２）の放水羽根（４Ｆ1，…，４Ｆp）とが含まれ、
上記羽根車軸部（４１）には、回転中心線に即して軸孔が形成され、
上記羽根車円板部（４２）は、上記羽根車軸部（４１）の基部の周囲に該基部と一体的に形成され、
上記各マグネット（４Ｍ1，…，４Ｍn）は、上記羽根車円板部（４２）の上面側に、対応する各半径線分と平行若しくは交叉関係を成すように配置・埋設され、
上記各放水羽根（４Ｆ1，…，４Ｆp）は、上記羽根車円板部（４２）の上面側に、対応する各半径線分と平行若しくは交叉関係を成すと共に上方に突出するように配置・固定され、
上記モータ（６）には、モータ本体（６１）と、該モータ本体（６１）の上方に延長されたモータ出力軸（６２）とが含まれ、
上記放水用羽根車押え金具付空気吸入粉砕用羽根車（７）には、１個の放水用羽根車押え金具（７ｗ）と、該放水用羽根車押え金具（７ｗ）の上面から上方に突出する複数個の空気吸入粉砕羽根（７ｆ1，７ｆ2，…）とが、含まれ、
上記モータ出力軸（６２）の周りには、上記放水用羽根車（４）が嵌合・固定され、先端部頂面には、上記放水用羽根車押え金具付空気吸入粉砕用羽根車（７）が固着され、
上記放水用羽根車押え金具（７ｗ）の上方には、上記吸気カバー（１）の下半部の逆皿形凹部をも含めた気水攪拌用空間（１Ｓ）が形成され、
上記ガイドカバー（３）の内周面と、上記羽根車軸部（４１）の外周面との間には、短円筒形の第１の間隙（ｇ1）が形成され、
上記羽根車円板部（４２）の上面と、上記ガイドカバー（３）の下面との間には、鍔（つば）形の第２の間隙（ｇ2）が形成されている、
空気吸入粉砕羽根付水質浄化処理装置。
【請求項３】
前記空気吸入粉砕羽根（７ｆ1，７ｆ2，…）の全部若しくは一部には、上端部に切欠きが、又は中位部に透孔が形成されて成る、
請求項２の空気吸入粉砕羽根付水質浄化処理装置。
【請求項４】
前記複数個の空気吸入粉砕羽根（７ｆ1，７ｆ2，…）は何れも、肉厚の板体から構成され、
上記各板体にはそれぞれ、前記羽根車軸部（４１）の外径よりも外方に位置する、張出し部（４ｂ）が含まれ、
上記各張出し部（４ｂ）の下半部には、斜め下向きの傾斜面（７ｆｓ）が形成され、
上記各傾斜面（７ｆｓ）は回転時に気泡と水を下方に押し放つことが出来る、
請求項２又は３の空気吸入粉砕羽根付水質浄化処理装置。
【請求項５】
前記羽根車軸部（４１）の外周面には、複数個の空気粉砕羽根（４ｓ，…）が立設されて成る、
請求項４の空気吸入粉砕羽根付水質浄化処理装置。
【請求項６】
吸気カバー（１）と、吸水カバー（２）と、ガイドカバー（３）と、放水用羽根車（４）と、モータ（６）と、複数個の空気吸入粉砕羽根（４ｉｓ1，４ｉｓ2，…）と、吸気管（ｄ）とが含まれ、
上記吸気カバー（１）の中央部には、貫通孔が穿設され、下半部には、大径の逆皿形凹部が形成され、
上記吸水カバー（２）は、環状壁体から成り、該環状壁体には、ｍ個（ｍ≧２）の吸水孔（ｓ1，…，ｓm）が穿設され、
上記ガイドカバー（３）の中央部には、上記逆皿形凹部の直径と略同一の直径を有する、回転対称形空間が形成され、
上記吸気カバー（１）と、上記吸水カバー（２）と、上記ガイドカバー（３）とは、この順で一体的に連結され、
上記放水用羽根車（４）には、羽根車軸部（４１）と、羽根車円板部（４２）と、ｎ個（ｎ≧２）のマグネット（４Ｍ1，…，４Ｍn）と、ｐ個（ｐ≧２）の放水羽根（４Ｆ1，…，４Ｆp）とが含まれ、
上記羽根車軸部（４１）には、回転中心線に即して軸孔が形成され、
上記羽根車円板部（４２）は、上記羽根車軸部（４１）の基部の周囲に該基部と一体的に形成され、
上記各マグネット（４Ｍ1，…，４Ｍn）は、上記羽根車円板部（４２）の上面側に、対応する各半径線分と平行若しくは交叉関係を成すように配置され、
上記各放水羽根（４Ｆ1，…，４Ｆp）は、上記羽根車円板部（４２）の上面側に、対応する各半径線分と平行若しくは交叉関係を成すと共に上方に突出するように配置され、
上記モータ（６）は、最上位に配置され、そこからモータ出力軸（６２）が下方に延長され、
上記吸気カバー（１）の逆皿形凹部及びその直近下位の空間部分には、両者を併合した気水攪拌用空間（１Ｓ）が形成され、
上記羽根車軸部（４１）は、上記吸気カバー１の中央部の貫通孔を貫通して、上記モータ出力軸（６２）の周りに嵌合・固定され、その外周面には、気水攪拌用空間（１Ｓ）に対応する位置に上記複数個の空気吸入粉砕羽根（４ｉｓ1，４ｉｓ2，…）が、回転方向斜め下向きに固着され、
上記ガイドカバー（３）の内周面と、上記羽根車軸部（４１）の外周面との間には、短円筒形の第１の間隙（ｇ1）が形成され、
上記羽根車円板部（４２）の上面と、上記ガイドカバー（３）の下面との間には、鍔（つば）形の第２の間隙（ｇ2）が形成されている、
空気吸入粉砕羽根付水質浄化処理装置。
【請求項７】
前記吸気孔から、オゾンエアーが送り込まれる、
請求項１から６までのいずれか１項に記載の空気吸入粉砕羽根付水質浄化処理装置。
【手続補正２】
【補正対象書類名】明細書
【補正対象項目名】０００６
【補正方法】変更
【補正の内容】
【０００６】
【目的を達成するための手段】
前記の諸問題を解消し、且つ前記の諸目的を達成するために、この出願の発明の第１の形態の空気吸入粉砕羽根付水質浄化処理装置には、
吸気カバー（１）と、ガイドカバー（３）と、放水用羽根車（４）と、モータ（６）と、空気吸入粉砕用羽根車（７）とが含まれ、
上記吸気カバー（１）の中央部には、下向きの吸気孔（ｉ）が穿設され、下半部には、大径の逆皿形凹部が形成され、
上記ガイドカバー（３）の中央部には、上記逆皿形凹部の直径と略同一の直径を有する、回転対称形空間が形成され、
上記放水用羽根車（４）には、羽根車軸部（４１）と、羽根車円板部（４２）と、ｎ個（ｎ≧２）のマグネット（４Ｍ1，…，４Ｍn）と、ｐ個（ｐ≧２）の放水羽根（４Ｆ1，…，４Ｆp）とが含まれ、
上記羽根車円板部（４２）は、上記羽根車軸部（４１）の基部の周囲に該基部と一体的に形成され、
上記モータの出力軸（６２）の周りには、上記放水用羽根車（４）が嵌合・固定され、先端部頂面には、上記空気吸入粉砕用羽根車（７）が固着され、
上記空気吸入粉砕用羽根車（７）の周りには、上記吸気カバー（１）の下半部の逆皿形凹部をも含めた気水攪拌用空間（１Ｓ）が形成され、
上記吸気カバー（１）と上記ガイドカバー（３）との間に処理対象水域の原水を前記気水攪拌用空間（１Ｓ）に吸入する通路が形成され、
上記ガイドカバー（３）の内周面と、上記羽根車軸部（４１）の外周面との間には、短円筒形の第１の間隙（ｇ1）が形成され、
上記羽根車円板部（４２）の上面と、上記ガイドカバー（３）の下面との間には、鍔（つば）形の第２の間隙（ｇ2）が形成されてい
る、
ものである。
より具体的には、
吸気カバー１と、吸水カバー２と、ガイドカバー３と、放水用羽根車４と、モータ６と、放水用羽根車押え金具付・空気吸入粉砕用羽根車７とが含まれ、
吸気カバー１の中央部には、下向きの吸気孔ｉが穿設され、下半部には、大径の逆皿形凹部が形成され、
吸水カバー２は、環状壁体から成り、該環状壁体には、ｍ個（ｍ≧２）の吸水孔ｓ1，…，ｓmが穿設され、
ガイドカバー３の中央部には、逆皿形凹部の直径と略同一の直径を有する、回転対称形空間が形成され、
吸気カバー１と、吸水カバー２と、ガイドカバー３とは、この順で一体的に連結され、
放水用羽根車４には、羽根車軸部４１と、羽根車円板部４２と、ｎ個（ｎ≧２）のマグネット４Ｍ1，…，４Ｍnと、ｐ個（ｐ≧２）の放水羽根４Ｆ1，…，４Ｆpとが含まれ、
羽根車軸部４１には、回転中心線に即して軸孔が形成され、
羽根車円板部４２は、羽根車軸部４１の基部の周囲に該基部と一体的に形成され、
各マグネット４Ｍ1，…，４Ｍnは、羽根車円板部４２の上面側に、対応する各半径線分と平行若しくは交叉関係を成すように配置・埋設され、
各放水羽根４Ｆ1，…，４Ｆpは、羽根車円板部４２の上面側に、対応する各半径線分と平行若しくは交叉関係を成すと共に上方に突出するように配置・固定され、
モータ６には、モータ本体６１と、該モータ本体６１の上方に延長されたモータ出力軸６２とが含まれ、
放水用羽根車押え金具付空気吸入粉砕用羽根車７には、１個の放水用羽根車押え金具７ｗと、該放水用羽根車押え金具７ｗの上面から上方に突出する複数個の空気吸入粉砕用羽根７ｆ1，７ｆ2，…とが含まれ、
モータ出力軸６２の周りには、放水用羽根車４が嵌合・固定され、先端部頂面には、放水用羽根車押え金具付空気吸入粉砕用羽根車７が固着され、
放水用羽根車押え金具７ｗの上方には、吸気カバー１の下半部の逆皿形凹部をも含めた気水攪拌用空間１Ｓが形成され、
ガイドカバー３の内周面と、羽根車軸部４１の外周面との間には、短円筒形の第１の間隙ｇ1が形成され、
羽根車円板部４２の上面と、ガイドカバー３の下面との間には、鍔（つば）形の第２の間隙ｇ2が形成されて成る、
ものである。
この出願の発明の上記第１の形態、及び、以下に示すこの出願の発明の形態において、吸気孔から、オゾンエアーを送り込んで使用する場合がある。